(57)【特許請求の範囲】
【請求項１】
表示部を備える機器保全装置であって、
保全対象の機器の第１の機器情報に基づき、前記機器に対する操作履歴を表示する操作履歴表示画面を含む第１画面を生成して前記表示部に表示させる第１画面生成部と、
前記機器の第２の機器情報に基づき、前記機器の保全に係る保全情報を表示する保全情報表示画面を含む第２画面を生成して前記表示部に表示させる第２画面生成部と、
前記第１の機器情報と前記第２の機器情報とに基づいて、時刻順に前記操作履歴が並べられた第１表示、前記機器毎に前記操作履歴がまとめられた第２表示、又は保全項目毎に前記操作履歴がまとめられた第３表示を切り替え可能な第３画面を生成する第３画面生成部と、
を備える機器保全装置。
【請求項２】
前記表示部は、前記第１画面と前記第２画面とを遷移可能に表示する、請求項１に記載の機器保全装置。
【請求項３】
前記第１の機器情報又は前記第２の機器情報の少なくともいずれかの中から前記第３画面に含ませる機器情報を選択するための選択画面を生成して前記表示部に表示させる選択部を備える、請求項１又は２に記載の機器保全装置。
【請求項４】
前記第３画面生成部は、生成した前記第３画面を前記表示部に表示させる、請求項１から３のいずれか一項に記載の機器保全装置。
【請求項５】
前記第３画面生成部は、生成した前記第３画面を報告書として印字又は外部に出力する、請求項１から３のいずれか一項に記載の機器保全装置。
【請求項６】
保全対象の機器の第１の機器情報に基づき、前記機器に対する操作履歴を表示する操作履歴表示画面を含む第１画面を生成して表示部に表示させる第１ステップと、
前記機器の第２の機器情報に基づき、前記機器の保全に係る保全情報を表示する保全情報表示画面を含む第２画面を生成して前記表示部に表示させる第２ステップと、
前記第１の機器情報と前記第２の機器情報とに基づいて、時刻順に前記操作履歴が並べられた第１表示、前記機器毎に前記操作履歴がまとめられた第２表示、又は保全項目毎に前記操作履歴がまとめられた第３表示を切り替え可能な第３画面を生成する第３ステップと、
を含む、機器保全方法。
【請求項７】
保全対象の機器の第１の機器情報に基づき、前記機器に対する操作履歴を表示する操作履歴表示画面を含む第１画面を生成して表示部に表示させる第１処理と、
前記機器の第２の機器情報に基づき、前記機器の保全に係る保全情報を表示する保全情報表示画面を含む第２画面を生成して前記表示部に表示させる第２処理と、
前記第１の機器情報と前記第２の機器情報とに基づいて、時刻順に前記操作履歴が並べられた第１表示、前記機器毎に前記操作履歴がまとめられた第２表示、又は保全項目毎に前記操作履歴がまとめられた第３表示を切り替え可能な第３画面を生成する第３処理と、
をコンピュータに実行させる、機器保全プログラム。
【請求項８】
請求項７記載の機器保全プログラムを記録した記録媒体。
【発明の詳細な説明】
【技術分野】
【０００１】
本発明は、機器保全装置、機器保全方法、機器保全プログラム及び記録媒体に関する。
【背景技術】
【０００２】
従来から、化学等の工業プラント、ガス田や油田等の井戸元やその周辺を管理制御するプラント、水力・火力・原子力等の発電を管理制御するプラント、太陽光や風力等の環境発電を管理制御するプラント、上下水やダム等を管理制御するプラント等のプラントや工場等（以下、これらを総称する場合には「プラント」という）においては、フィールド機器と呼ばれる測定器又は操作器等の現場機器と、これらを制御する制御装置とが通信手段を介して接続された分散制御システム（ＤＣＳ：Ｄｉｓｔｒｉｂｕｔｅｄ  Ｃｏｎｔｒｏｌ  Ｓｙｓｔｅｍ）が構築されており、高度な自動操業が実現されている。このような分散制御システムが構築されたプラントにおいては、異常な動作の予防、測定精度の維持等の観点から、作業者によるフィールド機器（以下、「機器」と略す場合がある。）の保全が定期又は不定期に行われる。
【０００３】
フィールド機器の保全は、例えば、フィールド機器との間で有線通信又は無線通信が可能な機器保全装置を用いて行われる。この機器保全装置は、例えばフィールド機器の保全を行うための専用のプログラムがインストールされた、ノート型又はタブレット型のコンピュータ、ＰＤＡ（Ｐｅｒｓｏｎａｌ  Ｄｉｇｉｔａｌ  Ａｓｓｉｓｔａｎｔ）、又はスマートフォン等である。フィールド機器は、１又は複数の機器情報を保有することができる。機器情報とは、フィールド機器に係る情報であって、例えば、フィールド機器の動作を設定するための情報、フィールド機器の状態を示す情報、又はフィールド機器の識別情報等である。機器保全装置は、フィールド機器に設定された機器情報を読み出して確認し、フィールド機器に対して新たな機器情報を設定し、又はフィールド機器に設定された機器情報を変更することができる。
【０００４】
機器保全装置は、保全対象のフィールド機器から取得した機器情報の履歴を履歴情報として表示画面に表示する。また、機器保全装置は、フィールド機器を指定して、指定したフィールド機器の保全に関する保全情報を表示する（例えば、特許文献１を参照）。履歴情報に含まれる機器情報、又は保全情報に含まれる機器情報は、それぞれ抽出条件（フィルタ）を設定し、抽出条件で抽出された機器情報を表示することができる。
【先行技術文献】
【特許文献】
【０００５】
【特許文献１】特開２０１５−１０９０１１号公報
【発明の概要】
【発明が解決しようとする課題】
【０００６】
しかし、履歴情報に含まれる機器情報と保全情報に含まれる機器情報は、予め定められたものであるため、履歴情報に含まれる機器情報と保全情報に含まれる機器情報を対応付けて表示画面又は報告書等として出力することができない場合があった。また、履歴情報に含まれる機器情報と保全情報に含まれる機器情報を対応付けて出力するためには、それぞれの機器情報を別々にダウンロードして、ダウンロードした機器情報に対してマージ処理等をしなければいけない場合があった。
【０００７】
本発明は上記事情に鑑みてなされたものであり、所望の機器情報を容易に出力することができる、機器保全装置、機器保全方法、機器保全プログラム及び記録媒体を提供することを目的とする。
【課題を解決するための手段】
【０００８】
（１）上記の課題を解決するため、本発明の機器保全装置は、表示部を備える機器保全装置であって、前記表示部は、保全対象の機器の第１の機器情報に基づき生成される第１画面と、前記機器の第２の機器情報に基づき生成される第２画面と、前記第１の機器情報と前記第２の機器情報に基づき生成される第３画面とを表示する。
【０００９】
（２）また、本発明の機器保全装置において、前記表示部は、前記第１画面と前記第２画面とを遷移可能に表示する。
【００１０】
（３）また、本発明の機器保全装置において、前記表示部は、前記第１の機器情報又は前記第２の機器情報の少なくともいずれかの中から前記第３画面に表示される機器情報を選択するための選択画面をさらに表示する。
【００１１】
（４）また、本発明の機器保全装置において、前記表示部は、前記機器を識別する識別情報に基づき表示する機器情報が配置された前記第３画面を表示する。
【００１２】
（５）また、本発明の機器保全装置において、前記表示部は、前記機器の保全項目に基づき表示する機器情報が配置された前記第３画面を表示する。
【００１３】
（６）また、本発明の機器保全装置において、前記表示部は、前記第１画面において、前記機器に対する操作履歴を表示する操作履歴表示画面を表示し、前記第２画面において、前記機器の保全に係る情報を表示する保全情報表示画面を表示する。
【００１４】
（７）上記の課題を解決するため、本発明の機器保全装置は、保全対象の機器における第１の機器情報に基づき生成される第１画面と、前記機器における第２の機器情報に基づき生成される第２画面とを表示する表示部と、前記第１の機器情報と前記第２の機器情報に基づき報告書を生成する報告書生成部とを備える。
【００１５】
（８）また、本発明の機器保全装置において、前記表示部は、前記第１の機器情報又は前記第２の機器情報の少なくともいずれかの中から前記報告書に含まれる情報を選択するための選択画面をさらに表示する。
【００１６】
（９）また、本発明の機器保全装置において、前記報告書生成部は、前記機器を識別する識別情報に基づき前記報告書に含まれる情報が配置された前記報告書を生成する。
【００１７】
（１０）また、本発明の機器保全装置において、前記報告書生成部は、前記機器の保全項目に基づき前記報告書に含まれる情報が配置された前記報告書を生成する。
【００１８】
（１１）また、本発明の機器保全装置において、前記表示部は、前記第１画面において、前記機器に対する操作履歴を表示する操作履歴表示画面を表示し、前記第２画面において、前記機器の保全に係る情報を表示する保全情報表示画面を表示する。
【００１９】
（１２）上記の課題を解決するため、本発明の機器保全方法は、保全対象の機器の第１の機器情報に基づき生成される第１画面を表示する第１画面表示ステップと、前記機器の第２の機器情報に基づき生成される第２画面を表示する第２画面表示ステップと、前記第１の機器情報と前記第２の機器情報に基づき生成される第３画面を表示する第３画面表示ステップとを含む。
【００２０】
（１３）上記の課題を解決するため、本発明の機器保全方法は、保全対象の機器の第１の機器情報に基づき生成される第１画面を表示する第１画面表示ステップと、前記機器の第２の機器情報に基づき生成される第２画面を表示する第２画面表示ステップと、前記第１の機器情報と前記第２の機器情報に基づき報告書を生成する報告書生成ステップとを含む。
【００２１】
（１４）上記の課題を解決するため、本発明の機器保全プログラムは、保全対象の機器の第１の機器情報に基づき生成される第１画面を表示する第１画面表示処理と、前記機器の第２の機器情報に基づき生成される第２画面を表示する第２画面表示処理と、前記第１の機器情報と前記第２の機器情報に基づき生成される第３画面を表示する第３画面表示処理とをコンピュータに実行させる。
【００２２】
（１５）上記の課題を解決するため、本発明の機器保全プログラムは、保全対象の機器の第１の機器情報に基づき生成される第１画面を表示する第１画面表示処理と、前記機器の第２の機器情報に基づき生成される第２画面を表示する第２画面表示処理と、前記第１の機器情報と前記第２の機器情報に基づき報告書を生成する報告書生成処理とをコンピュータに実行させる。
【００２３】
（１６）上記の課題を解決するため、本発明の記録媒体は、保全対象の機器の第１の機器情報に基づき生成される第１画面を表示する第１画面表示処理と、前記機器の第２の機器情報に基づき生成される第２画面を表示する第２画面表示処理と、前記第１の機器情報と前記第２の機器情報に基づき生成される第３画面を表示する第３画面表示処理とをコンピュータに実行させる機器保全プログラムを記録している。
【００２４】
（１７）上記の課題を解決するため、本発明の記録媒体は、保全対象の機器の第１の機器情報に基づき生成される第１画面を表示する第１画面表示処理と、前記機器の第２の機器情報に基づき生成される第２画面を表示する第２画面表示処理と、前記第１の機器情報と前記第２の機器情報に基づき報告書を生成する報告書生成処理とをコンピュータに実行させる機器保全プログラムを記録している。
【発明の効果】
【００２５】
本発明によれば、所望の機器情報を容易に出力することができる、機器保全装置、機器保全方法、機器保全プログラム及び記録媒体を提供することができる。
【図面の簡単な説明】
【００２６】
【図１】実施形態における機器保全装置のハードウェア構成の一例を示すブロック図である。
【図２】実施形態における機器保全装置の機能構成の一例を示すブロック図である。
【図３】実施形態における機器保全装置のビューの選択処理の一例を示すフローチャートである。
【図４】実施形態における機器保全装置のビューの選択処理の一例を示すフローチャートである。
【図５】実施形態における機器保全装置が表示する操作履歴表示画面の一例を示す図である。
【図６】実施形態における機器保全装置が表示する操作履歴表示の検索アイテムの一例を示す図である。
【図７】実施形態における機器保全装置が表示する操作履歴表示画面から遷移する詳細表示画面の一例を示す図である。
【図８】実施形態における機器保全装置が表示する機器保全情報の表示画面の一例を示す図である。
【図９】実施形態における機器保全装置が表示する、カスタマイズ画面設定画面の一例を示す図である。
【図１０】実施形態における機器保全装置が表示する操作履歴表示のカスタマイズ画面の一例を示す図である。
【図１１】実施形態における機器保全装置が表示する操作履歴表示を機器タグでソートしたカスタマイズ画面の一例を示す図である。
【図１２】実施形態における機器保全装置が表示する操作履歴表示を保全項目でソートしたカスタマイズ画面の一例を示す図である。
【図１３】実施形態における機器保全装置が表示する、報告書設定画面の一例を示す図である。
【図１４】実施形態における機器保全装置が出力する報告書の一例を示す図である。
【発明を実施するための形態】
【００２７】
以下、図面を参照して本発明の一実施形態における機器保全装置、機器保全方法、機器保全プログラム及び記録媒体について詳細に説明する。
【００２８】
先ず、図１を用いて、機器保全装置のハードウェア構成を説明する。図１は、実施形態における機器保全装置１のハードウェア構成の一例を示すブロック図である。
【００２９】
図１において、機器保全装置１は、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、ＨＤＤ（Ｈａｒｄ  Ｄｉｓｋ  Ｄｒｉｖｅ）１４、タッチパネル１５、通信Ｉ／Ｆ（Ｉｎｔｅｒｆａｃｅ）１６、及びカードスロット１７を有する。機器保全装置１は、フィールド機器２と通信可能に接続される。
【００３０】
機器保全装置１は、ノート型ＰＣ、タブレット型ＰＣ、ＰＤＡ、又はスマートフォン等の汎用装置、又は機器保全専用の装置である。機器保全装置１は、フィールド機器の保全を行うための機器保全プログラムを含み、機器保全プログラムが実行されることによってフィールド機器の保全作業を支援する。機器保全装置１は、保全作業を実施する作業者によってプラント内で可搬され、作業者によって操作される。
【００３１】
ＣＰＵ１１は、ＲＡＭ１２、ＲＯＭ１３又はＨＤＤ１４に記憶されたプログラムを実行することにより、機器保全装置１の制御を行う。機器保全プログラムは、例えば、機器保全プログラムを記録した記録媒体、又はネットワークを介した機器保全プログラムを提供するサーバ等から取得されて、ＨＤＤ１４にインストールされ、ＣＰＵ１１から読出し可能にＲＡＭ１２に記憶される。
【００３２】
タッチパネル１５は、操作入力機能と表示機能とを有する操作表示機能を有する。タッチパネル１５は、フィールド機器の保全に係る保全情報等の情報を表示する。また、タッチパネル１５は、作業者に対して指先又はタッチペン等を用いた操作入力を可能にする。本実施形態における機器保全装置１は操作表示機能を有するタッチパネル１５を用いる場合を説明するが、機器保全装置１は、表示機能を有する表示装置と操作入力機能を有する操作入力装置とを有するものであってもよい。その場合、本実施形態は、タッチパネル１５の表示画面は表示装置の表示画面、タッチパネル１５の操作は操作入力装置の操作として実施することができる。なお、タッチパネル１５は、ヘッドマウント型、メガネ型、腕時計型のディスプレイ等の種々の形態によって実現されてもよい。
【００３３】
通信Ｉ／Ｆ１６は、有線通信又は無線通信を介した、フィールド機器２との通信又は他の装置との通信を制御する、例えばネットワークアダプタである。他の装置とは、例えば、図示しない、他の機器保全装置、保全情報を管理する保全情報管理サーバ、ＤＣＳ（Ｄｉｓｔｒｉｂｕｔｅｄ  Ｃｏｎｔｒｏｌ  Ｓｙｓｔｅｍ：分散制御システム）制御装置、ＦＡ（Ｆａｃｔｏｒｙ  Ａｕｔｏｍａｔｉｏｎ）コンピュータ、ＰＬＣ（Ｐｒｏｇｒａｍｍａｂｌｅ  Ｌｏｇｉｃ  Ｃｏｎｔｒｏｌｌｅｒ）等である。
【００３４】
通信Ｉ／Ｆ１６は、フィールド機器２において使用可能な通信プロトコルを用いてフィールド機器２との通信を制御する。プラントで使用される様々なフィールド機器２においては種々の通信プロトコルが用いられている。したがって、通信Ｉ／Ｆ１６は、フィールド機器２毎にそれぞれ対応した通信プロトコル等の通信種別においてフィールド機器２との通信を制御する。例えば、通信Ｉ／Ｆ１６は、ＩＳＡ（Ｉｎｔｅｒｎａｔｉｏｎａｌ  Ｓｏｃｉｅｔｙ  ｏｆ  Ａｕｔｏｍａｔｉｏｎ：国際計測制御学会）の無線通信規格であるＩＳＡ１００を通信種別として使用するフィールド機器２との通信を制御する。また、通信Ｉ／Ｆ１６は、ＨＡＲＴ（Ｈｉｇｈｗａｙ  Ａｄｄｒｅｓｓａｂｌｅ  Ｒｅｍｏｔｅ  Ｔｒａｎｓｄｕｃｅｒ）（登録商標）、ＢＲＡＩＮ（登録商標）、ＦＯＵＮＤＡＴＩＯＮ  Ｆｉｅｌｄｂｕｓ、ＰＲＯＦＩＢＵＳ等の工業計器専用の通信種別を使用するフィールド機器２との通信を制御してもよい。また、通信Ｉ／Ｆ１６は、無線ＬＡＮ通信、有線ＬＡＮ通信、赤外線通信、近距離無線通信等の汎用通信種別を使用するフィールド機器２やＤＣＳ等との通信を制御してもよい。
【００３５】
カードスロット１７は、ＰＣカードを挿入するスロットである。カードスロット１７は、機器保全装置１において挿入されたＰＣカードの機能を利用可能にする。ＰＣカードは、例えば、特定の通信を実現させる通信機能やストレージ機能を提供することができる。
【００３６】
機器保全装置１が通信可能に接続されるフィールド機器２は、例えば、差圧計、温度計、流量計等の機器保全装置１に対して物理量（圧力、温度等）の信号を入力する入力機器、又は調節弁等の機器保全装置１から調節弁の開度を変更する制御信号を出力する出力機器である。図１においては、フィールド機器２を省略して１つのみを図示したが、上述の通り、プラントでは様々なフィールド機器２が使用され、機器保全装置１は複数のフィールド機器２と接続される。
以上で、図１を用いた、機器保全装置１のハードウェア構成の説明を終了する。
【００３７】
次に、図２を用いて、機器保全装置の機能構成を説明する。図２は、実施形態における機器保全装置１００の機能構成の一例を示すブロック図である。なお、以下の説明においては、図１を適宜参照する。
【００３８】
図２（Ａ）において、機器保全装置１００は、通信部１０１、機器情報保管部１０２、表示データ生成部１０３、保全実行部１０４、及び保全情報保存部１０５の各機能を有する。機器保全装置１００の上記各機能は、図１で示したＣＰＵ１１においてプログラムを実行することによって実現することができる。すなわち、機器保全装置１００の上記各機能は、ソフトウェアによって実現される機能モジュールである。
【００３９】
通信部１０１は、通信Ｉ／Ｆ１６を介して、フィールド機器２との通信又は他の装置との通信を制御して、フィールド機器２のパラメータを取得する。フィールド機器２のパラメータとは、フィールド機器２の機器情報の一例であり、本実施形態においては、機器情報とパラメータを同義として説明する。
【００４０】
フィールド機器２のパラメータは、例えば、フィールド機器２の機器タグ、機器アドレス、製造者、機器ＩＤ又は機器タイプ、モデル名、通信規格等のフィールド機器２を特定するための情報、フィールド機器２の動作を定めるための設定値、フィールド機器２の状態を示す情報、若しくはフィールド機器２において測定された測定値等である。すなわち、パラメータには、機器ＩＤ等の固定値であるもの、フィールド機器の設定値や測定値等の変動可能な値であるものを含んでいてもよい。また、フィールド機器２のパラメータは、フィールド機器２から取得する情報と、機器保全装置１００において設定又は入力する情報のいずれであってもよい。機器保全装置１００において設定又は入力する情報には、例えば、作業者が残したメモ等のテキストデータ、又は作業者が撮影した写真（静止画）やビデオ（動画）の画像データ等を含めることができる。
【００４１】
通信部１０１は、通信部１０１が制御する通信種別によって、例えば、ＩＳＡ１００、ＨＡＲＴ、ＢＲＡＩＮ等の通信種別（通信規格）のフィールド機器２のパラメータの設定、パラメータの読出し、パラメータの確認等を行う。通信部１０１は、無線ＬＡＮ通信、有線ＬＡＮ通信、赤外線通信、近距離無線通信等の制御を行ってもよい。通信部１０１は、それぞれの通信に対応した制御を行うためのプログラムモジュールを有するものであってもよい。通信部１０１は、それぞれの通信に必要なプログラムモジュールを追加してインストールできるようにしてもよい。通信部１０１は、通信Ｉ／Ｆ１６を介して接続されているフィールド機器２を自動的に（又は手動的に）認識して、認識したフィールド機器２のパラメータを取得することができる。
【００４２】
なお、フィールド機器２のパラメータの取得は、上述した通信による情報の取得に限定されるものではない。例えば、作業者が目視でフィールド機器２のタグ名やモデル名を確認してキー入力したり、機器保全装置１に備えつけのカメラでタグ名やモデル名の記載のあるフィールド機器２の銘板を撮影して、撮影画像からタグ名やモデル名を認識したりして、フィールド機器２から取得するものであってもよい。
【００４３】
また、フィールド機器２のパラメータの取得のタイミングは任意である。例えば、パラメータの取得は、作業者の保全項目の実行によって不定期に行われる。また、パラメータの取得は、フィールド機器２の種別又は通信種別等のフィールド機器２の種類に応じて予め定められた周期（頻度）で定期的に行われる場合もある。
【００４４】
機器情報保管部１０２は、フィールド機器２の機器情報（パラメータ）とこれに対応した保全項目の情報を保管するデータベース機能を有する。機器情報保管部１０２において保管される保全項目は、フィールド機器２に設定されているパラメータの確認、フィールド機器２に対するパラメータの設定、所定の試験、所定の調整等である。保全項目には、保全項目の実行結果を報告するための報告書の出力等を含んでいてもよい。本実施形態において機器情報保管部１０２が保管する保全項目は、例えば、ループテスト（ループ試験）、ゼロ点調整、スパン調整、ワンタッチレポート、詳細な診断情報の表示、タグ／アドレス／ロール設定、設定制限の設定／解除、ＤＴＭ（Ｄｅｖｉｃｅ  Ｔｙｐｅ  Ｍａｎａｇｅｒ）のインストール、ＤＤ（Ｄｅｖｉｃｅ  Ｄｅｓｃｒｉｐｔｉｏｎ）のインストール、パラメータ取得、バルブのキャリブレーション、機器のスコーク、ＩＳＡ１００プロビジョニング、機器のオンサービス／オフサービス切替、サービスモード切替、バルブのパーシャルストロークテスト（部分作動検査）である。
【００４５】
機器情報保管部１０２は、それぞれのフィールド機器２とそのフィールド機器２において実行される保全項目とを対応付けて、対応付けた情報を読出し可能に保管する。機器情報保管部１０２は、１つのフィールド機器２に対して１又は複数の保全項目を対応付けることができる。上記保全項目の中には、所定のフィールド機器２において実行できる保全項目と実行できない保全項目とがある。例えば、バルブのキャリブレーションの保全項目は、バルブを有するフィールド機器２においては実行可能であるが、バルブを有さない温度計等のフィールド機器２においては実行できない。機器情報保管部１０２は、それぞれのフィールド機器２において実行可能な保全項目をフィールド機器２に対応付けて保管する。フィールド機器２のパラメータと保全項目との対応付けは、例えば、予め対応が設定された設定ファイルに基づき行うことができる。設定ファイルには、例えば機器タイプ、通信規格等の情報と保全項目を対応付けるものであってもよい。また、フィールド機器２と保全項目との対応付けは、作業者によって任意に設定できるようにしてもよい。
【００４６】
なお、フィールド機器２においては、保全項目を対応付けない（０個の保全項目を対応付ける）場合があってもよい。例えば、故障中又は不使用中等のフィールド機器２に対しては、保全項目を対応付けないことを保管することにより保全作業が不要であることを示すことができる。機器情報保管部１０２は、対応付けた情報を、例えばＨＤＤ１４に保管してもよい。
【００４７】
また、機器情報保管部１０２は、過去にフィールド機器から取得したパラメータを記憶する。フィールド機器２のパラメータは、フィールド機器２の種別毎に異なる場合がある。例えば、フィールド機器２の種別が差圧計等の入力機器である場合とバルブ等の出力機器である場合においてパラメータの内容が異なる。また、フィールド機器２のパラメータは、フィールド機器２の通信種別毎に異なる場合がある。例えば、フィールド機器２の通信種別がＩＳＡ１００である場合と、ＨＡＲＴである場合においてパラメータの内容が異なる。すなわち、機器情報保管部１０２は、フィールド機器２毎に異なるタイミングで取得された、フィールド機器２毎に異なる内容のパラメータを保管することができる。
【００４８】
表示データ生成部１０３は、タッチパネル１５に表示する表示データを生成する。本実施形態において表示データ生成部１０３は、図２（Ｂ）に示す機能を有する。図２（Ｂ）において、表示データ生成部１０３は、メイン画面生成部２０１、個別画面生成部、カスタマイズ画面生成部２０３及びレポート生成部の各機能を有する。
【００４９】
メイン画面生成部２０１は、タッチパネル１５に表示するメイン画面を生成する。メイン画面とは、機器保全装置１を起動した後に最初に表示される保全作業用の画面である。メイン画面は、例えば、機器保全装置１を起動後に最初に表示される起動画面、又はログイン処理を行うためのログイン画面が表示された後に表示される。本実施形態において、メイン画面は、後述する、セグメントビューワ、機器ナビゲータ、及び操作ログの３つの表示画面を有するものとする。セグメントビューワは、機器保全装置１に接続されたたＨＡＲＴ、ＦＯＵＮＤＡＴＩＯＮ  Ｆｉｅｌｄｂｕｓ、ＢＲＡＩＮ、又はＩＳＡ１００の同一セグメント内の実機器の一覧を表示する表示画面である。機器ナビゲータは、機器情報保管部１０２に登録した機器一覧を表示する表示画面である。操作ログは、機器保全装置１における操作ログの一覧を表示する表示画面である。機器保全装置１は、タッチパネル１５にそれぞれのメイン画面を表示することによって、それぞれのメイン画面に係る保全作業を効率的に行うことを可能にしている。セグメントビューワ、機器ナビゲータ、及び操作ログの３つの表示画面は、切替ボタンによって切替えられる。
【００５０】
個別画面生成部２０２は、タッチパネル１５に表示する個別画面を生成する。個別画面とは、メイン画面から遷移（「呼出し」又は「推移」と言う場合がある。）可能な表示画面であって、メイン画面の表示内容に関連した情報の表示を行うものである。個別画面は、例えば、ＨＡＲＴ、又はＦＯＵＮＤＡＴＩＯＮ  Ｆｉｅｌｄｂｕｓ機器の詳細な稼動又は故障状態を確認するための表示画面である「Ｄｅｖｉｃｅ  Ｖｉｅｗｅｒ」である。また、個別画面は、ＨＡＲＴ、ＦＯＵＮＤＡＴＩＯＮ  Ｆｉｅｌｄｂｕｓ、ＢＲＡＩＮ、又はＩＳＡ１００機器の機器ＤＴＭを表示する「ＤＴＭ  Ｗｏｒｋｓ」である。また、個別画面は、ＨＡＲＴ、ＦＯＵＮＤＡＴＩＯＮ  Ｆｉｅｌｄｂｕｓ機器について、主に機器交換を行うための「Ｐａｒａｍｅｔｅｒ  Ｍａｎａｇｅｒ」、ＦＯＵＮＤＡＴＩＯＮ  Ｆｉｅｌｄｂｕｓ機器の設定又は調整を行うための「ＤＤ  Ｍｅｎｕ」、又は機器に関する保全情報をデータベースに保持して管理するための「機器保全情報」等であってもよい。
【００５１】
それぞれの個別画面は、複数のメイン画面から遷移できるようにしてもよい。例えば、機器保全情報の個別画面は、セグメントビューワ、機器ナビゲータ、又は操作ログのメイン画面から遷移できるようにすることで、それぞれのメイン画面から機器の保全情報を参照することが可能となる。一方、機器の詳細な稼動状態等を確認するためのＤｅｖｉｃｅ  Ｖｉｅｗｅｒ、及び機器の設定又は調整を行うためのＤＤ  Ｍｅｎｕは、接続されたフィールド機器についてのみ表示できればよいので、セグメントビューワのメイン画面から遷移できればよい。メイン画面と個別画面とを遷移できるようにすることにより、タッチパネル１５に表示するフィールド機器のパラメータに階層を設けて、階層に応じたパラメータの詳しさ（粒度）を変更することが可能となる。
【００５２】
カスタマイズ画面生成部２０３は、メイン画面に表示されるパラメータと、個別画面に表示されるパラメータとに基づき、カスタマイズ画面を生成する。カスタマイズ画面とは、メイン画面に表示されるパラメータと個別画面に表示されるパラメータとを組み合わせた表示画面である。
【００５３】
本実施形態においては、「第１画面」として例示するメイン画面は、「第１の機器情報」として例示するメイン画面に表示される情報（「情報群」を含む。）に基づき生成される。また、「第２画面」として例示する個別画面は、「第２の機器情報」として例示する個別画面に表示される情報に基づき生成される。さらに、「第３画面」として例示するカスタマイズ画面は第１の機器情報と第２の機器情報に基づき生成される。上述のように、第１の機器情報と第２の機器情報はパラメータの情報の詳しさで階層付けられるが、第１の機器情報と第２の機器情報とを同時にタッチパネル１５に表示したり、同じレポートに出力したりすることはできない。カスタマイズ画面生成部２０３は、第１の機器情報と第２の機器情報とを合せたデータを生成することにより、第１の機器情報と第２の機器情報とを同時にタッチパネル１５に表示することが可能になる。
【００５４】
カスタマイズ画面生成部２０３は、所定の情報に基づきカスタマイズ画面に表示するパラメータに対してソート等の並び替えをして配置することができる。所定の情報とは、例えば、フィールド機器２を識別するためのタグＩＤ等の識別情報である。また、所定の情報は、フィールド機器２の保全項目である。タグＩＤや保全項目でパラメータをソート等することにより表示されるパラメータを視認しやすくなる。
【００５５】
選択部２０３１は、第１の機器情報と第２の機器情報を選択するための選択画面を生成する。カスタマイズ画面生成部２０３は、選択画面において選択された情報に基づき、カスタマイズ画面を生成する。選択部２０３１が生成する選択画面の詳細は、図９を用いて後述する。
【００５６】
レポート生成部２０４は、メイン画面に表示されるパラメータと、個別画面に表示されるパラメータとに基づき、レポート（報告書）を生成する。レポートとは、メイン画面に表示されるパラメータと個別画面に表示されるパラメータとを組み合わせて作成される、所定の書式のデータであり、レポートを生成するとは、所定の書式のデータを生成すること、生成されたデータを印字すること、又は生成されたデータを機器保全装置１００の外部に出力すること等を含んでいてもよい。
【００５７】
レポート生成部２０４は、所定の情報に基づきレポートに表示するパラメータに対してソート等の並び替えをして配置することができる。所定の情報とは、例えば、フィールド機器２を識別するためのタグＩＤ等の識別情報である。また、所定の情報は、フィールド機器２の保全項目である。タグＩＤや保全項目でパラメータをソート等することにより表示されるパラメータを視認しやすくなる。
【００５８】
選択部２０４１は、第１の機器情報と第２の機器情報との組み合わせを選択するための選択画面を生成する。レポート生成部２０４は、選択画面において選択された情報に基づき、レポートを生成する。なお、選択画面の詳細は、図１２を用いて後述する。
【００５９】
なお、図２においては、機器保全装置１００が有する、通信部１０１、機器情報保管部１０２、表示データ生成部１０３、保全実行部１０４、及び保全情報保存部１０５の各機能がソフトウェアによって実現される場合を説明した。しかし、機器保全装置１００が有する上記１つ以上の機能は、ハードウェアによって実現されるものであっても良い。また、機器保全装置１００が有する上記各機能は、１つの機能を複数の機能に分割して実施してもよい。また、機器保全装置１０が有する上記各機能は、２つ以上の機能を１つの機能に集約して実施してもよい。
以上で、図２を用いた、機器保全装置の機能構成の説明を終了する。
【００６０】
次に、図３及び図４を用いて、ビューの選択処理を説明する。図３及び図４は、実施形態における機器保全装置のビューの選択処理の一例を示すフローチャートである。
なお、図３及び図４で説明する機器保全装置１００の処理は、例えば、ＣＰＵ１１によって、図２で説明した各機能を実行することに実施することができる。なお、以下の説明においては、図１及び図２を適宜参照する。
【００６１】
図３において、機器保全装置１００は、ビュー選択画面を表示する（ステップＳ１１）。ビューとは、タッチパネル１５に表示される表示画面である。ビュー選択画面は、タッチパネル１５に表示する表示画面としてメイン画面を選択するかカスタマイズ画面を選択するかを設定するための画面である。ビュー選択画面は、例えば、メイン画面又はカスタマイズ画面を選択するためのボタンを表示する。
【００６２】
ステップＳ１１の処理を実行した後、機器保全装置１００は、メイン画面が選択されたか否かを判断する（ステップＳ１２）。メイン画面が選択されたと判断した場合（ステップＳ１２：ＹＥＳ）、機器保全装置１００は、メイン画面を生成してタッチパネル１５に表示する（ステップＳ１３）。ステップＳ１３において表示されるメイン画面は、セグメントビューワ、機器ナビゲータ又は操作ログのメイン画面のいずれであってもよい。機器保全装置１００は、例えば、ステップＳ１３の処理が実行される前に最後に表示したメイン画面を記憶しておき、記憶したメイン画面を表示してもよい。
【００６３】
ステップＳ１３の処理を実行した後、機器保全装置１００は、ビューを選択するか否かを判断する（ステップＳ１４）。ビューを選択するか否かは、例えば、タッチパネル１５に表示されたビュー選択のためのボタンが押下されたか否かで判断することができる。ビューを選択すると判断した場合（ステップＳ１４：ＹＥＳ）、機器保全装置１００は、ステップＳ１１の処理を実行してビュー選択画面を再び表示する。
【００６４】
一方、ビューを選択しないと判断した場合（ステップＳ１４：ＮＯ）、機器保全装置１００は、メイン画面を切替えるか否かを判断する（ステップＳ１５）。メイン画面を切替えるか否かの判断は、例えば、図５等において後述する、メイン画面を切替えるボタンが押下されたか否かで判断することができる。メイン画面を切替えると判断した場合（ステップＳ１５：ＹＥＳ）、機器保全装置１００は、メイン画面を切替えるボタン押下に応じたメイン画面を生成して表示することによりメイン画面を切替える（ステップＳ１６）。
【００６５】
一方、メイン画面を切替えないと判断した場合（ステップＳ１５：ＮＯ）、機器保全装置１００は、個別画面を表示するか否かを判断する（ステップＳ１７）。個別画面を表示するか否かは、例えば、タッチパネル１５に表示された個別画面表示のためのボタンが押下されたか否かで判断することができる。個別画面を表示すると判断した場合（ステップＳ１７：ＹＥＳ）、機器保全装置１００は、個別画面を生成してタッチパネル１５に表示（個別画面へ画面遷移）する（ステップＳ１８）。なお、メイン画面から個別画面への画面遷移は、上述の通り、特定のメイン画面から特定の個別画面に遷移できるものとする。遷移できない個別画面については、例えば、個別画面表示のためのボタンをグレーアウトの表示をして押下ができないようにしてもよい。ステップＳ１５及びステップＳ１７の処理において、機器保全装置１００は、メイン画面と個別画面とを遷移可能に表示することが可能となる。
【００６６】
一方、個別画面を表示しないと判断した場合（ステップＳ１７：ＮＯ）、ステップＳ１６の処理を実行した後、又はステップＳ１８の処理を実行した後、機器保全装置１００は、ステップＳ１４の処理を再び実行する。ステップＳ１４〜ステップＳ１８の処理において、機器保全装置１００は、ビュー選択の処理に戻るまで（ステップＳ１４においてＹＥＳとなるまで）、メイン画面と個別画面を切換えて表示する。
【００６７】
ステップＳ１２の処理において、メイン画面が選択されていないと判断した場合（ステップＳ１２：ＮＯ）、機器保全装置１００は、カスタマイズ画面が選択されたか否かを判断する（ステップＳ１９）。カスタマイズ画面が選択されていないと判断した場合（ステップＳ１９：ＮＯ）、機器保全装置１００は、ステップＳ１２の処理を再び実行して、メイン画面が選択されたか否かを判断する。一方、カスタマイズ画面が選択さたと判断した場合（ステップＳ１９：ＹＥＳ）、機器保全装置１００は、結合子Ａに示す図４のフローチャートの処理を実行する。
【００６８】
図４において、機器保全装置１００は、Ｔａｇ表示が選択されたか否かを判断する（ステップＳ２１）。Ｔａｇ表示とは、カスタマイズ画面のおけるパラメータの表示をタグＩＤで配置（ソート等）したカスタマイズ画面である。Ｔａｇ表示が選択されたか否かの判断は、例えば、タッチパネル１５に表示されたＴａｇ表示をするためのラジオボタンが押下されているか否かで判断することができる。Ｔａｇ表示が選択されたと判断した場合（ステップＳ２１：ＹＥＳ）、機器保全装置１００は、カスタマイズ画面のおけるパラメータの表示をタグＩＤで配置した表示画面を生成してタッチパネル１５に表示する（ステップＳ２２）。なお、ステップＳ２２において表示されるカスタマイズ画面の一例を、図１１を用いて後述する。
【００６９】
一方、Ｔａｇ表示が選択されていないと判断した場合（ステップＳ２１：ＮＯ）、機器保全装置１００は、保全項目表示が選択されたか否かを判断する（ステップＳ２３）。保全項目表示とは、カスタマイズ画面のおけるパラメータの表示を保全項目で配置したカスタマイズ画面である。保全項目表示が選択されたか否かの判断は、例えば、タッチパネル１５に表示された保全項目表示をするためのラジオボタンが押下されているか否かで判断することができる。保全項目表示が選択されたと判断した場合（ステップＳ２３：ＹＥＳ）、機器保全装置１００は、カスタマイズ画面のおけるパラメータの表示を保全項目で配置した表示画面を生成してタッチパネル１５に表示する（ステップＳ２４）。なお、ステップＳ２４において表示されるカスタマイズ画面の一例を、図１２を用いて後述する。
【００７０】
一方、保全項目表示が選択されていないと判断した場合（ステップＳ２３：ＮＯ）、機器保全装置１００は、カスタマイズ画面のおけるパラメータの表示の全部の履歴を表示する（ソート等されていない）表示画面を生成してタッチパネル１５に表示する（ステップＳ２５）。なお、ステップＳ２５において表示されるカスタマイズ画面の一例を、図１０を用いて後述する。
【００７１】
ステップＳ２２の処理を実行した後、ステップＳ２４の処理を実行した後、又はステップＳ２５の処理を実行した後、機器保全装置１００は、結合子Ｂに示す図３のステップＳ１４の処理を実行する。
【００７２】
なお、本実施形態では、タグＩＤ又は保全項目で配置されたカスタマイズ画面のおけるパラメータの表示として、パラメータの表示をソートする場合を例示するが、パラメータの配置はソートに限定されるものではない。例えば、指定されたタグＩＤ又は保全項目を有するパラメータのみをフィルタリングして配置するものであってもよい。
【００７３】
また、本実施形態では、タグＩＤ又は保全項目で配置されたカスタマイズ画面のパラメータを表示されないようにタグＩＤ毎又は保全項目毎にまとめて、タグＩＤ毎又は保全項目毎に「＋」等のボタンを押下することによってパラメータが展開されて表示されてもよい。
【００７４】
また、本実施形態では、カスタマイズ画面のおけるパラメータの表示をタグＩＤ又は保全項目で配置する場合を例示したが、カスタマイズ画面のおけるパラメータの表示の配置はこれに限定されるものではない。例えば、カスタマイズ画面のおけるパラメータの表示をパラメータの他の事項で配置するものであってもよい。
【００７５】
また、図３及び図４においては、タッチパネル１５に表示する表示画面についてカスタマイズ画面を生成及び表示する処理を説明したが、図３及び図４における処理は、後述する、報告書をカスタマイズしたカスタマイズ報告を生成及び出力する場合にも適用することができる。すなわち、カスタマイズ報告を生成及び出力する場合、タッチパネル１５に表示する表示画面を生成する代わりに、報告書のデータを生成して出力するようにする。出力されたカスタマイズ報告書の一例は、図１４を用いて後述する。
【００７６】
また、図３においては、ステップＳ１５〜ステップＳ１８において、メイン画面と個別画面とが直接遷移する場合を示したが、例えば、メイン画面と個別画面以外の他の表示画面を経由してメイン画面と個別画面が遷移するものであってもよい。
【００７７】
また、第１画面として例示するメイン画面を表示するステップＳ１６の処理、第２画面として例示する個別画面を表示するステップＳ１８の処理、第３画面として例示するカスタマイズ画面を表示するステップＳ２２の処理、ステップＳ２４の処理、及びステップＳ２５の処理は、実行順序やタイミングが固定されるものではなく、任意の順序やタイミングで実行される。すなわち、保全対象の機器の第１の機器情報に基づき生成される第１画面を表示する第１画面表示ステップと、前記機器の第２の機器情報に基づき生成される第２画面を表示する第２画面表示ステップと、前記第１の機器情報と前記第２の機器情報に基づき生成される第３画面を表示する第３画面表示ステップとは、任意の実行順序やタイミングで実行することができる。
【００７８】
同様に、タッチパネル１５に表示する表示画面を生成する代わりに、報告書のデータを生成して出力する場合においても、第１画面を表示する処理、第２画面を表示する処理、及び報告書を生成する処理は実行順序やタイミングが固定されるものではなく、任意の順序やタイミングで実行される。すなわち、保全対象の機器の第１の機器情報に基づき生成される第１画面を表示する第１画面表示ステップと、前記機器の第２の機器情報に基づき生成される第２画面を表示する第２画面表示ステップと、前記第１の情報と前記第２の情報に基づき報告書を生成する報告書生成ステップとは、任意の実行順序やタイミングで実行することができる。
以上で、図３及び図４を用いた、ビューの選択処理の説明を終了する。
【００７９】
次に、図５を用いて、図３のステップＳ１３又はステップＳ１６において生成及び表示されるメイン画面の一例である操作履歴表示画面を説明する。図５は、実施形態における機器保全装置が表示する操作履歴表示画面の一例を示す図である。
【００８０】
図５において、メイン画面１０００は、メニューバー１００１、セグメントビューワ切替ボタン１００２、機器ナビゲータ切替ボタン１００３、操作ログ切替ボタン１００４、操作履歴表示部１０１１、表示期間指定部１０１２及びフィルタ指定ボタン１０１３を有する。
【００８１】
メニューバー１００１は、「ファイル（Ｆ）」、「表示（Ｖ）」、「操作（Ａ）」、「ツール（Ｔ）」、及び「ヘルプ（Ｈ）」の大項目のメニューを有する。なお、括弧書きの文字は、所定のキーと共に押下すうることによりメニューバーを操作することができるショートカットキーである。大項目のメニューを選択するとさらに詳細なメニュー項目がプルダウンで選択可能になる。本実施形態においてはメニューバー１００１のメニューを操作したときの機能はボタンの押下と同様の機能を有するものとするため、メニューバー１００１の操作もボタンの押下の一例とする。
【００８２】
セグメントビューワ切替ボタン１００２は、メイン画面をセグメントビューワに切替えて表示するためのボタンである。機器ナビゲータ切替ボタン１００３は、メイン画面を機器ナビゲータに切替えて表示するためのボタンである。また、操作ログ切替ボタン１００４は、メイン画面を操作ログに切替えて表示するためのボタンである。
【００８３】
操作履歴表示部１０１１は、フィールド機器２に対する操作ログを表示する。操作履歴表示部１０１１は、「機器」、「ソース」、「日時」、「ユーザ」、及び「メッセージ」の表示項目において、フィールド機器２に対する１回の操作を１行で表示して、操作の履歴を時系列で視認可能にする。それぞれの操作の詳細内容を示す個別画面は、図示「▼」のボタンを押下することによって表示することができる。
【００８４】
表示期間指定部１０１２は、操作履歴表示部１０１１に表示される操作ログに対して期間によるフィルタを掛けるためのフィルタ指定を表示する。ラジオボタンが「全ての日」の場合、操作履歴表示部１０１１には記録された全ての操作ログが表示される。ラジオボタンが「日付を指定する」の場合、操作履歴表示部１０１１にはカレンダで指定された日付の操作ログが表示される。また、ラジオボタンが「期間を指定する」の場合、操作履歴表示部１０１１には開始日と終了日で指定された期間の操作ログが表示される。
【００８５】
フィルタ指定ボタン１０１３は、表示期間以外のフィルタを設定するためのボタンである。フィルタ指定ボタン１０１３を押下することにより、操作履歴表示部１０１１に表示する操作ログに対するフィルタを選択可能に表示することができる。なお、操作履歴表示部１０１１に表示する操作ログに対するフィルタの詳細は図６を用いて後述する。
以上で、図５を用いた、操作履歴表示画面の説明を終了する。
【００８６】
次に、図６を用いて、図５で説明した操作ログに対するフィルタを説明する。図６は、実施形態における機器保全装置が表示する操作履歴表示の検索アイテムの一例を示す図である。
【００８７】
図６において、「ＩＴＥＭ」は、操作ログに対するフィルタとして例示する検索アイテムを示す。「表示期間」は、図５で説明した表示期間指定部１０１２によるフィルタであるので説明を省略する。「フィルタ」は、フィルタ指定ボタン１０１３を押下したときに指定可能なフィルタを示している。「全て表示」は、フィルタを指定しない表示が可能であることを示している。「機器タグ」は、機器タグを指定した操作ログの表示が可能であることを示している。「カテゴリ」は、操作のカテゴリを指定した操作ログの表示が可能であることを示している。操作のカテゴリには、「設定」、「点検」、「保全管理」、「システム」、「ＰＲＭ（パラメータ管理）」の各操作を指定することができる。なお、図６に示すフィルタは、操作履歴表示部１０１１の表示に対するフィルタであるため、個別画面に含まれるパラメータを検索して表示することはできない。個別画面の検索には後述するカスタマイズ画面を用いるものとする。
以上で、図６を用いた、操作ログに対するフィルタの説明を終了する。
【００８８】
次に、図７を用いて、操作履歴表示画面から遷移する詳細表示画面について説明する。図７は、実施形態における機器保全装置が表示する操作履歴表示画面から遷移する詳細表示画面の一例を示す図である。
【００８９】
図７において、メイン画面１０００は、個別画面である保全情報の中の機器の基本情報を示す機器情報１０２１及び表示切替１０２２を有する。機器情報１０２１は、図５において説明したメイン画面の操作履歴表示部１０１１の個々のフィールド機器２における「▼」ボタンを押下したときに表示される個別画面である。機器情報１０２１は、フィールド機器の基本情報に関する詳細なパラメータを含む。図７は、一番上に図示されているフィールド機器２についての機器情報１０２１が表示されていることを示している。表示切替１０２２の上ボタン又は下ボタンを押下することによって、機器情報１０２１を表示するフィールド機器を切換えることができる。図５及び図７に示すメイン画面と個別画面の表示を切替えることによって、表示するパラメータの種類を切換えることが可能となる。
以上で、図７を用いた、操作履歴表示画面から遷移する詳細表示画面についての説明を終了する。
【００９０】
次に、図８を用いて、機器保全情報の表示画面を説明する。図８は、実施形態における機器保全装置が表示する機器保全情報の表示画面の一例を示す図である。
【００９１】
図８において、機器保全情報２０００は、特定のフィールド機器２の保全情報を表示する。図８に示す保全情報は、図７における機器情報の基本情報に加えて、付箋情報、画像、操作ログ、パラメータ（設定値）、添付ファイルの表示画面を有する。また、機器保全情報２０００は、保全項目の実行に関する履歴の情報を有する。
【００９２】
図８に示す、付箋情報、画像、操作ログ、パラメータ（設定値）、添付ファイル等の情報は、図５に示す操作履歴表示部１０１１又は、図７に示す機器情報１０２１には表示されない詳細情報である。本実施形態における機器保全装置１００は、図５に示した操作履歴表示画面において複数のフィールド機器における操作履歴の概要を時系列で表示できるとともに、図８に示した機器保全情報において機器毎の詳細は保全情報を表示できる。すなわち、本実施形態においては、表示画面の階層（メイン画面と個別画面）を切換えることにより、表示するパラメータの階層（概要と詳細）を切換えることが可能となる。
以上で、図８を用いた、機器保全情報の表示画面の説明を終了する。
【００９３】
次に、図９を用いて、カスタマイズ画面設定画面を説明する。図９は、実施形態における機器保全装置が表示する、カスタマイズ画面設定画面の一例を示す図である。
【００９４】
図９において、メイン画面１０００には、カスタマイズ画面設定画面１１００が重畳されて表示されている。カスタマイズ画面設定画面１１００は、カスタマイズ画面に表示するパラメータの項目を設定するための表示画面である。カスタマイズ画面設定画面１１００は、第１画面として例示するメイン画面のパラメータ（第１の機器情報）を選択するためのチェックボックスと、第２画面として例示する個別画面のパラメータ（第２の機器情報）を選択するためのチェックボックスを有する。メイン画面のパラメータには、図５で説明した、「機器」、「ソース」、「日時」、「ユーザ」、「メッセージ」等の表示項目が含まれている。また、個別画面のパラメータには、図８で説明した、「機器情報」、「付箋」、「画像」、「操作ログ」等の表示項目が含まれている。カスタマイズ画面設定画面１１００においては、メイン画面のパラメータ又は個別画面のパラメータの少なくともいずれか１つを選択する。選択されたパラメータは、第３画面として例示するカスタマイズ画面に表示される。
以上で、図９を用いた、カスタマイズ画面設定画面の説明を終了する。
【００９５】
次に、図１０を用いて、操作履歴表示のカスタマイズ画面を説明する。図１０は、実施形態における機器保全装置が表示する操作履歴表示のカスタマイズ画面の一例を示す図である。
【００９６】
図１０において、カスタマイズ画面３０００は、ソート指定ボタン３０１１、操作履歴表示３０２１、及び付箋情報３０２２を有する。ソート指定ボタン３０１１は、表示する操作履歴表示３０２１のソート方法を指定するラジオボタンである。ソート指定ボタン３０１１は、「Ｄａｔｅ  ａｎｄ  Ｔｉｍｅ」、「Ｄｅｖｉｃｅ  Ｔａｇ」、及び「Ｉｎｐｕｔ  Ｌｏｏｐ  Ｃｈｅｃｋ」の指定を含む。「Ｄａｔｅ  ａｎｄ  Ｔｉｍｅ」はソートを行わない場合の指定である。「Ｄｅｖｉｃｅ  Ｔａｇ」はタグＩＤで操作履歴表示３０２１のパラメータをソートする場合の指定である。また、「Ｉｎｐｕｔ  Ｌｏｏｐ  Ｃｈｅｃｋ」は、保全項目の１つであるループチェックで操作履歴表示３０２１のパラメータをソートする場合の指定である。図１０は、ソート指定ボタン３０１１の「Ｄａｔｅ  ａｎｄ  Ｔｉｍｅ」が選択されていることを示している。
【００９７】
操作履歴表示３０２１及び付箋情報３０２２は、図９で説明したカスタマイズ画面設定画面１１００において選択されたパラメータを表示する。操作履歴表示３０２１は、図５の「機器」等のパラメータが日本語表記であるのに対して、「Ｄｅｖｉｃｅ」等の英語表記である場合を例示している。機器保全装置１００の表示データ生成部１０３は、表示の言語を所定の言語から選択して変更できるようにする。操作履歴表示３０２１に表示されるパラメータは、第１の機器情報から選択されたものであり、付箋情報３０２２は、第２の機器情報から選択されたものである。カスタマイズ画面３０００には、第１の機器情報又は第２の機器情報の中から選択された少なくとも１つのパラメータを表示する。
【００９８】
付箋情報３０２２は、図５に示した操作履歴表示部１０１１には表示されない詳細な保全情報の一例である。すなわち、カスタマイズ画面３０００は、メイン画面に表示される情報（第１の機器情報）と個別画面に表示される情報（第２の機器情報）の両方を指定して含ませることが可能となる。カスタマイズ画面３０００は、第１の機器情報と第２の機器情報の両方含んだ表示画面を表示することにより、表示画面を遷移させて切替えることなく、両方の情報を表示することを可能にしている。これにより、所望の機器情報を容易に表示することが可能となる。
【００９９】
なお、図１０においては、カスタマイズ画面３０００に第２の機器情報として付箋情報３０２２を表示する場合を示したが、カスタマイズ画面に表示する第２の機器情報はこれに限定されるものではない。例えば、カスタマイズ画面に、画像、操作ログ等の情報を表示するようにしてもよい。
以上で、図１０を用いた、操作履歴表示のカスタマイズ画面の説明を終了する。
【０１００】
次に、図１１を用いて、操作履歴表示を機器タグでソートしたカスタマイズ画面を説明する。図１１は、実施形態における機器保全装置が表示する操作履歴表示を機器タグでソートしたカスタマイズ画面の一例を示す図である。
【０１０１】
図１１において、カスタマイズ画面３０００は、ソート指定ボタン３０１１、操作履歴表示部３０３１、及び付箋情報３０３２を有する。図１１は、ソート指定ボタン３０１１の「Ｄｅｖｉｃｅ  Ｔａｇ」が選択されていることを示している。操作履歴表示部３０３１は、デバイスタグ毎に操作履歴をまとめて表示する。操作履歴表示部３０３１の「＋」ボタンを押下することにより、デバイスタグ毎の操作履歴が展開されて表示される。ソート指定ボタン３０１１において「Ｄｅｖｉｃｅ  Ｔａｇ」を選択することにより、所定のデバイスタグのフィールド機器２の操作履歴を視認しやすくなる。
以上で、図１１を用いた、操作履歴表示を機器タグでソートしたカスタマイズ画面の説明を終了する。
【０１０２】
次に、図１２を用いて、操作履歴表示を保全項目でソートしたカスタマイズ画面を説明する。図１２は、実施形態における機器保全装置が表示する操作履歴表示を保全項目でソートしたカスタマイズ画面の一例を示す図である。
【０１０３】
図１２において、カスタマイズ画面３０００は、ソート指定ボタン３０１１、操作履歴表示部３０４１、及び付箋情報３０４２を有する。図１２は、ソート指定ボタン３０１１の「Ｉｎｐｕｔ  Ｌｏｏｐ  Ｃｈｅｃｋ」が選択されていることを示している。操作履歴表示部３０３１は、デバイスタグ毎に操作履歴をまとめて表示する。操作履歴表示部３０４１には、操作履歴の中でループチェックに係る履歴のみが表示される。操作履歴の中でループチェックに係る履歴のみが表示することにより、複数のフィールド機器２において実行されたループチェックの操作履歴を一覧することが可能となる。
以上で、図１２を用いた、操作履歴表示を保全項目でソートしたカスタマイズ画面の説明を終了する。
【０１０４】
次に、図１３を用いて、報告書設定画面を説明する。図１３は、実施形態における機器保全装置が表示する、報告書設定画面の一例を示す図である。
【０１０５】
図１３において、カスタマイズ画面３０００には、報告書設定画面３１００が重畳されて表示されている。報告書設定画面３１００は、報告書として出力するパラメータの項目を設定するための表示画面である。報告書設定画面３１００は、チェックボックスによって複数の項目を選択可能にする。報告書設定画面３１００には、「Ｉｍａｇｅ」、「Ｍｅｍｏ」、「Ａｔｔａｃｈｍｅｎｔｓ」の選択項目が含まれている。「Ｉｍａｇｅ」、は、図８において説明した、機器保全情報２０００に含まれる画像データの出力を指定する。「Ｍｅｍｏ」は、機器保全情報２０００に含まれる付箋情報の出力を指定する。また、「Ａｔｔａｃｈｍｅｎｔｓ」機器保全情報２０００に含まれる添付ファイルの出力を指定する。報告書設定画面３１００において項目を設定した場合、「Ｓａｖｅ」ボタンを押下することによって設定内容が記憶され、出力される報告書に反映される。
以上で、図１３を用いた、報告書設定画面の説明を終了する。
【０１０６】
次に、図１４を用いて、報告書を説明する。図１４は、実施形態における機器保全装置が出力する報告書の一例を示す図である。
【０１０７】
図１４において、報告書４０００は、機器情報４０１１、保全情報４０１２、操作履歴４０１３及び選択情報４０１４を有する。報告書４０００は、例えば、機器保全装置１に接続されたプリンタから出力（印字）されたり、電子データとして出力されたりする。図２で説明したカスタマイズ画面生成部２０３は、報告書４０００における、機器情報４０１１、保全情報４０１２、操作履歴４０１３及び選択情報４０１４の項目のレイアウトを行う。カスタマイズ画面生成部２０３は、報告書４０００のレイアウトを、例えば印字出力する用紙に合わせて生成することができる。
【０１０８】
機器情報４０１１は、図７の機器情報１０２１の表示内容と同様である。保全情報４０１２は、図８の保全情報と同様である。操作履歴４０１３は、図５の操作履歴表示部１０１１と同様である。また、選択情報４０１４は、図１３の報告書設定画面３１００で指定した内容が出力される。すなわち、本実施形態における機器保全装置１００は、報告書４０００に出力するパラメータを、メイン画面に表示される第１の機器情報、個別画面に表示される第２の機器情報の中から自由にカスタマイズすることができるため、報告書において所望の機器情報を容易に出力することが可能となる。
【０１０９】
なお、報告書４０００は、所定のテンプレートを使用して、テンプレートに基づき生成されるものであってもよい。テンプレートとは、報告書４０００に含めるパラメータ等項目、項目のレイアウト等を定めるものであり、予め用意されたテンプレートの中から１又は複数のテンプレートを選択できるようにしてもよい。また、テンプレートは作成、変更又は削除を行うことができるものであってもよい。また、テンプレートは、ＨＤＤ１４等の機器保全装置１の内部に保存しておいてもよく、また、ネットワークで接続されたサーバ等機器保全装置１の外部に保存しておき取得するようにしてもよい。
【０１１０】
また、テンプレート等によって生成される報告書４０００に含める項目やレイアウトは、任意に変更できるようにしてもよい。例えば、報告書４０００に作成者の氏名、作成日時等の項目を追加したり、項目の位置、使用する文字のフォント等を変更できるようにしてもよい。
【０１１１】
また、報告書４０００は、フィールド機器毎に個別に作成されても、フィールド機器の機種毎に作成されても、保全項目毎に作成されても、又は全てのフィールド機器について一括して作成されてもよい。報告書４０００は、フィールド機器毎等を１ページとした、複数ページの報告書として出力されてもよい。
【０１１２】
また、報告書４０００は、所定のファイル形式を指定した電子データで出力されてもよい。例えば、報告書４０００は、表計算アプリケーションで使用可能なファイル形式や文書作成アプリケーションで使用可能なファイル形式を指定して出力されてもよい。生成された電子ファイルは、例えば、ネットワークで接続されたサーバに出力（アップロード）されたり、電子メールとして送信されてもよい。本実施形態においては、報告書４０００に含める項目等を設定することができるため、出力先に応じて報告書４０００に含める項目等を変更することができる。例えば、保全作業者に対しては、特定の保全項目に関する報告書を作成して送信等するようにしてもよい。
以上で、図１４を用いた、報告書の説明を終了する。
【０１１３】
以上説明したように、本実施形態における機器保全装置は、表示部を備える機器保全装置であって、前記表示部は、保全対象の機器の第１の機器情報に基づき生成される第１画面と、前記機器の第２の機器情報に基づき生成される第２画面と、前記第１の機器情報と前記第２の機器情報に基づき生成される第３画面とを表示することにより、所望の機器情報を容易に出力することができる。
【０１１４】
なお、本実施形態においては、第１画面として例示するメイン画面、第２画面として例示する個別画面、第３画面として例示するカスタマイズ画面は、それぞれ同一の表示装置であるタッチパネル１５に表示される場合を示したが、これらの画面は複数の表示装置に分散して表示されるものであってもよい。
【０１１５】
また、本実施形態で説明した装置を構成する機能を実現するためのプログラムを、コンピュータ読み取り可能な記録媒体に記録して、当該記録媒体に記録されたプログラムをコンピュータシステムに読み込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１１６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現するもの、いわゆる差分ファイル（差分プログラム）であっても良い。
【０１１７】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１１８】
１                機器保全装置
１１              ＣＰＵ
１２              ＲＡＭ
１３              ＲＯＭ
１４              ＨＤＤ
１５              タッチパネル
１６              通信Ｉ／Ｆ
１７              カードスロット
２                フィールド機器
１０１            通信部
１０２            機器情報保管部
１０３            表示データ生成部
１０４            保全実行部
１０５            保全情報保存部
２０１            メイン画面生成部
２０２            個別画面生成部
２０３            カスタマイズ画面生成部
２０３１          選択部
【図１】
0006536488.tif 000002
【図２】
0006536488.tif 000003
【図３】
0006536488.tif 000004
【図４】
0006536488.tif 000005
【図５】
0006536488.tif 000006
【図６】
0006536488.tif 000007
【図７】
0006536488.tif 000008
【図８】
0006536488.tif 000009
【図９】
0006536488.tif 000010
【図１０】
0006536488.tif 000011
【図１１】
0006536488.tif 000012
【図１２】
0006536488.tif 000013
【図１３】
0006536488.tif 000014
【図１４】
0006536488.tif 000015